(57)【要約】【課題】走行時でも簡単な作業で巻取ドラムに巻き取るマルチフィルムの偏りをなくす。【解決手段】走行用ハンドルを備えた自走式の機体上に、原動機で回転駆動される巻取ドラムを搭載し、畝に被覆されたマルチフィルムを巻き取るマルチフィルムの巻取回収機であって、前記巻取ドラムより進行方向の前方に位置し、前記マルチフィルムを通す枠部を有する整列装置と、前記整列装置に連結され、前記枠部を前記巻取ドラムの軸線方向に移動させる共に、前記走行用ハンドル側へと延在させた整列用操作ハンドルを備え、前記整列用操作ハンドルで前記整列装置の枠部を移動させて、前記マルチフィルムが巻き取られる前記巻取ドラムの軸線方向の位置を規制する構成としている。【選択図】図１
2008125414.tif 000002
【特許請求の範囲】
【請求項１】
走行用ハンドルを備えた自走式の機体上に、原動機で回転駆動される巻取ドラムを搭載し、畝に被覆されたマルチフィルムを巻き取るマルチフィルムの巻取回収機であって、
前記巻取ドラムより進行方向の前方に位置し、前記マルチフィルムを通す枠部を有する整列装置と、
前記整列装置に連結され、前記枠部を前記巻取ドラムの軸線方向に移動させると共に、前記走行用ハンドル側へと延在させた整列用操作ハンドルを備え、
前記整列用操作ハンドルで前記整列装置の枠部を移動させて、前記マルチフィルムが巻き取られる前記巻取ドラムの軸線方向の位置を規制する構成としていることを特徴とするマルチフィルムの巻取回収機。
【請求項２】
前記整列装置の枠部は四角枠部あるいはＵ字状枠部からなり、該枠部の各辺にローラを回転自在に備えている請求項１に記載のマルチフィルムの巻取回収機。
【請求項３】
前記巻取ドラムの軸線方向を前記機体の進行方向と直交する方向、あるいは前記機体の進行方向としている請求項１または請求項２に記載のマルチフィルムの巻取回収機。
【請求項４】
前記機体の進行方向の前方から両側にかけて延在するカバーを備え、該カバーにより少なくとも前記車輪を両側から覆っている請求項１乃至請求項３のいずれか１項に記載のマルチフィルムの巻取回収機。
【発明の詳細な説明】
【技術分野】
【０００１】
本発明は、マルチフィルムの巻取回収機に関し、詳しくは、畝に挟まれた作業路に沿って走行させる自走式機体上に巻取ドラムを搭載し、畝に被覆されたマルチフィルムを巻取ドラムに巻き取って回収する回収機において、巻取ドラムに巻き取られるマルチフィルムを緩みなく巻き付けると共に巻取ドラムに均等に巻き付けることが出来るようにするものである。
【背景技術】
【０００２】
従来、野菜・果物・花等を栽培する畝に被覆されたマルチフィルムを使用後に剥ぎ取って回収する作業には、機体上に搭載した巻取ドラムにマルチフィルムを巻き取って回収するマルチフィルムの巻取回収機が広く用いられている。
このマルチフィルムの巻取回収機を用いた回収作業において、マルチフィルムが巻取ドラムに偏って巻き取られると、一度の回収作業での回収量が大きく減少してしまうため、回収するマルチフィルムを作業者が手作業で直接動かして巻取時の偏りが生じないようにしていた。
【０００３】
しかしながら、前記のように回収するマルチフィルムを作業者が手作業で動かそうとすると、マルチフィルムに付いた埃や泥が飛散して作業者が汚れてしまう問題があり、かつ、作業者の手が巻取ドラムに巻き込まれるおそれがある。
【０００４】
前記問題を解決するため、本出願人は先に、特開２００２−２８４４０３号公報（特許文献１）において、図６に示すマルチフィルムの巻取回収機１を提供している。該巻取回収機１は、巻取ドラム２の前方に、回収するマルチフィルムＦを通して巻取ドラム２への巻取位置を規制する調整部３を設けており、該調整部３を整列ハンドル４で巻取ドラム２の軸線方向に移動させて巻き取ったマルチフィルムＦの偏りを防止している。
これにより、作業者が直接手作業でマルチフィルムを動かしてマルチフィルムの偏りを防止する必要がなくなり、容易かつ安全にマルチフィルムの巻取作業を行うことができる。
【０００５】
しかしながら、特許文献１で提供している巻取回収機１では、調整部３を操作する整列ハンドル４を機体の前方位置に設けているため、巻取回収機１を走行させながらマルチフィルムＦを回収する際には、通常作業者は進行方向の後方に位置しており、この後方側から整列ハンドル４を操作しにくい、あるいは操作することができない問題がある。
【０００６】
さらに、畝に挟まれた作業路を走行する機体にマルチフィルム回収機を搭載し、左右の畝からマルチフィルムを斜め方向に引っ張って巻取ドラムに巻き取る場合には、種々の問題が発生する。例えば、左右のマルチフィルムの長さの相違等で、いずれか一方のマルチフィルムに弛みが生じた場合、強く引っ張られる他方へと走行機体が蛇行し、作業路を直進させることが困難となる。また、左右のマルチフィルムを巻取ドラムの外周面に略均等な厚さで同時に巻き取って回収することは非常に困難である。
【０００７】
【特許文献１】特開２００２−２８４４０３号公報
【発明の開示】
【発明が解決しようとする課題】
【０００８】
本発明は前記問題に鑑みてなされたものであり、畝に被覆されたマルチフィルムを巻取ドラムに同時に巻き取って回収する回収機において、機体の走行時でも簡単な作業で巻取ドラムに巻き取るマルチフィルムの偏りをなくして、マルチフィルムを効率良く回収することを課題としている。
【課題を解決するための手段】
【０００９】
前記課題を解決するため、本発明は、走行用ハンドルを備えた自走式の機体上に、原動機で回転駆動される巻取ドラムを搭載し、畝に被覆されたマルチフィルムを巻き取るマルチフィルムの巻取回収機であって、
前記巻取ドラムより進行方向の前方に位置し、前記マルチフィルムを通す枠部を有する整列装置と、
前記整列装置に連結され、前記枠部を前記巻取ドラムの軸線方向に移動させると共に、前記走行用ハンドル側へと延在させた整列用操作ハンドルを備え、
前記整列用操作ハンドルで前記整列装置の枠部を移動させて、前記マルチフィルムが巻き取られる前記巻取ドラムの軸線方向の位置を規制する構成としていることを特徴とするマルチフィルムの巻取回収機を提供している。
【００１０】
なお、走行機体の左右両側の畝またはいずれか一方の畝からマルチフィルムを巻き取る場合、さらに、走行機体の進行方向の前方に位置する畝から１枚のマルチフィルムを巻取ドラムに巻き取る場合に、マルチフィルムの巻取ドラムの軸線方向の巻き付け位置を規制して、巻き取りドラムに略均等な厚さで巻き付けることができるものとして用いることができる。
【００１１】
本発明のマルチフィルムの巻取回収機によれば、機体の進行方向の後方側に前記整列装置を操作するための整列用操作ハンドルを設けているため、作業者は機体の後方に設けた走行用ハンドルを把持して走行する機体を支持しながら整列用操作ハンドルを操作することができ、機体を走行させながらでも容易に整列装置を動かして、マルチフィルムを巻取ドラムに偏りなく巻き取って回収することができる。
また、マルチフィルムの巻取回収機が畝に挟まれた作業路を走行して、左右の畝からマルチフィルムを斜め方向に引っ張って巻取ドラムに巻き取る場合に、弛みが生じたマルチフィルムと反対側に整列装置を移動させることにより、弛みが生じたマルチフィルムを強く引っ張ることができる。これにより、左右のマルチフィルムを引っ張る力が均等になり、機体を作業路に沿って容易に直進させることができる。
【００１２】
前記整列装置の枠部は四角枠部あるいはＵ字状枠部からなり、該枠部の各辺にローラを回転自在に備えていることが好ましい。
前記構成によれば、四角枠部あるいはＵ字状枠部からなる枠部内に回収するマルチフィルムを通しているため、マルチフィルムが枠部から容易に脱落せず、確実に巻取ドラムへの巻取位置を規制することができる。
また、枠部にローラを設けているため、枠部に接触したマルチフィルムをスムーズに巻取ドラム側へ送り込むことができる。
なお、前記ローラは枠部の全ての辺に設けてもよいし、マルチフィルムと接触しやすい辺にのみ設けてもよい。
【００１３】
前記巻取ドラムの軸線方向を前記機体の進行方向と直交する方向、あるいは前記機体の進行方向としている。
【００１４】
前記機体の進行方向の前方から両側にかけて延在するカバーを備え、該カバーにより少なくとも前記車輪を両側から覆っていることが好ましい。
前記構成によれば、回収機の車輪をカバーにより覆っているため、マルチフィルムの回収時にナガイモ等の植物が回収機の車輪に絡まるのを防止することができ、作物を傷付けることなく、かつ、効率良くマルチフィルムを回収することができる。
【発明の効果】
【００１５】
前述したように、本発明によれば、機体の進行方向の後方側に前記整列装置を操作するための整列用操作ハンドルを設けているため、作業者は機体の後方に設けた走行用ハンドルを把持して走行する機体を支持しながら整列用操作ハンドルを操作することができ、機体を走行させながらでも容易に整列装置を動かして、マルチフィルムを巻取ドラムに偏りなく巻き取って回収することができる。
【発明を実施するための最良の形態】
【００１６】
本発明の実施形態を図面を参照して説明する。
図１乃至図４は、本発明の第１実施形態を示す。
本実施形態のマルチフィルムの巻取回収機１０（以下、巻取回収機１０と称す）は、ナガイモ等の作物栽培時に畝に被覆されたマルチフィルムＦを剥ぎ取って巻き取り回収するものである。
【００１７】
巻取回収機１０は、図１及び図２に示すように、機体１１の下部に一対の前輪１２と後輪１３を備えると共に、マルチフィルムＦを巻取回収する巻取ドラム１４と該巻取ドラム１４を動力伝達手段（図示せず）を介して回転させる原動機１５を備えている。該原動機１５によって巻取ドラム１４を回転させることによりマルチフィルムＦを巻き取って回収しており、このマルチフィルムＦの巻取ドラム１４への巻取りにかかる張力により巻取回収機１０が自走する構成としている。
なお、後輪１３を機体１１に連結する車輪支持枠３１は、その上端を機体１１のフレームの下面に回転自在に取り付けており、後輪１３を機体１１の進行方向に対して左右に旋回可能とし、進行方向を容易に修正できるようにしている。
【００１８】
前記巻取ドラム１４は、機体１１の後部に設けた一対の支持フレーム１１ａに回転自在に取り付けており、巻取ドラム１４の軸線方向を機体１１の進行方向と直交する方向としている。該巻取ドラム１４の軸線方向の両端に巻取ドラム１４よりも大径でリング状のガイド材１６を取り付け、該ガイド材１６により巻取ドラム１４に巻き取ったマルチフィルムＦが巻取ドラム１４から脱落しないようにしている。
なお、巻取ドラム１４に巻き取ったマルチフィルムＦを取り外す際には、支持フレーム１１ａとガイド材１６を巻取ドラム１４から取り外して、マルチフィルムＦを巻取ドラム１４の軸線方向に引き抜けるようにしている。
【００１９】
前記巻取ドラム１４の機体進行方向前方にマルチフィルムＦの巻取ドラム１４への巻取り位置を規制する整列装置１７を設けており、該整列装置１７は、四角枠部１８と該四角枠部１８の下端中央に連結した支持棒１９からなる。
詳細には、四角枠部１８は、金属製の下枠部１８ａの両端に両側枠部１８ｂを立設し、該両側枠部１８ｂに樹脂製で円筒状の縦ローラ１８ｃをそれぞれ回転自在に外嵌している。また、両側枠部１８ｂの上端に金属製の上枠部１８ｄを両側枠部１８ｂに架け渡して取り付けており、下枠部１８ａと上枠部１８ｄの両端に垂直方向に延在する一対の舌片１８ｅ、１８ｆをそれぞれ突設し、一対の舌片１８ｅ、１８ｆに樹脂製の横ローラ１８ｇをそれぞれ回転自在に取り付けている。即ち、四角枠部１８の全ての辺にローラを設けている。
【００２０】
前記整列装置１７の支持棒１９の下端は、前後方向に延在する整列用操作ハンドル２０の前端側と連結しており、該整列用操作ハンドル２０は後端側を機体１１の進行方向の後方に設けた機体支持用の走行用ハンドル１１ｂに近接する位置まで延在させ、後端部を上方傾斜させている。整列用操作ハンドル２０は前端を機体１１のフレームに軸受（図示せず）を介して回転自在に取り付けており、整列用操作ハンドル２０を回転させると、図３に示すように、該整列用操作ハンドル２０に連結された整列装置１７が巻取ドラム１４の軸線方向に揺動する構成としている。
また、四角枠部１８の下枠１８ａの両端をそれぞれバネ２１を介して機体１１のフレームと連結しており、これら両側のバネ２１により、四角枠部１８が巻取ドラム１４の軸線方向の中央側に付勢されており、整列用操作ハンドル２０の操作を終えると四角枠部１８が所定の中央位置に戻る構成としている。
【００２１】
さらに、整列装置１７の前方に振動装置２２を設けている。該振動装置２２は、支軸２３を機体１１のフレームに回転自在に取り付け、該支軸２３に第１連結片２４の一端を取り付けると共に、該第１連結片２４の他端に前端ローラ２５を取り付けている。また、支軸２３には第２連結片２６の一端を取り付けており、該第２連結片２６の他端にクランク棒２７の一端を取り付けている。該クランク棒２７の他端は原動機１５と接続された前記動力伝達手段と接続しており、該動力伝達手段によりクランク棒２７を往復運動させて前端ローラ２５を振動させている。該前端ローラ２５の振動によりマルチフィルムＦに振動を与えて、マルチフィルムＦを畝から剥ぎ取りやすくすると共に、マルチフィルムＦについた埃や泥を振り落とせるようにしている。
【００２２】
前記機体１１の前方から両側にかけてカバー２８を設けており、該カバー２８は所要の形状をした枠材２９の枠内にビニール３０を取り付けることにより形成している。本実施形態では、該カバー２８により前輪１２および後輪１３を両側外方から覆うと共に、カバー２８の上端を振動装置２２を設けた高さ位置として、機体１１全体を両側から覆っている。
なお、図２ではカバー２８の図示を省略している。
【００２３】
次に、前記巻取回収機１０の使用方法について説明する。
まず、巻取回収機１０を作動させる前の準備として、ナガイモを栽培している畝間に巻取回収機１０を配置し、巻取回収機１０の両側の畝から所要長さだけ剥がしたマルチフィルムＦを巻取回収機１０の振動装置２２上を通すと共に整列装置１７の四角枠部１８内を通して、マルチフィルムＦの端部を巻取ドラム１４に固定する。
なお、本実施形態で回収するマルチフィルムＦは、幅方向の略中央に破断用の切り取り線付きのスリットを設けており、この切り取り線がマルチフィルム回収時に破断して、畝に被覆されたマルチフィルムＦのうち半分だけが剥がされて回収されるものである。
【００２４】
次いで、作業者は巻取回収機１０の後方で走行用ハンドル１１ｂを把持して巻取回収機１０を支持した状態で、原動機１５を作動させることにより巻取ドラム１４を回転させてマルチフィルムＦを巻き取る。このマルチフィルムＦの巻取りに伴って巻取回収機１０が前進する。
【００２５】
作業者が整列用操作ハンドル２０を操作しない状態では、図４（Ａ）に示すように、整列装置１７の四角枠部１８が巻取ドラム１４の軸線方向の中央に位置し、該四角枠部１８を通るマルチフィルムＦは、巻取ドラム１４の軸線方向の中央に巻き取られる。
一方、図３（Ｂ）（Ｃ）に示すように、作業者が走行用ハンドル１１ｂに近接する位置に設けた整列用操作ハンドル２０を回転操作すると、図４（Ｂ）（Ｃ）に示すように、整列装置１７の四角枠部１８が巻取ドラム１４の軸線方向に移動し、四角枠部１８を通るマルチフィルムＦの巻取ドラム１４への巻取位置が規制される。
即ち、図４（Ｂ）に示すように、図中左側に四角枠部１８を移動させると、それに伴いマルチフィルムＦの巻取ドラム１４への巻取位置も図中左側となる。逆に、図４（Ｃ）に示すように、図中右側に四角枠部１８を移動させると、それに伴いマルチフィルムＦの巻取ドラム１４への巻取位置も図中右側となる。
これにより、マルチフィルムＦを巻取ドラム１４の任意の位置に巻き取ることができ、巻取ドラム１４に巻き取ったマルチフィルムＦの偏りを防止することができる。
【００２６】
前記構成によれば、機体１１の進行方向の後方側に整列装置１７を操作するための整列用操作ハンドル２０を設けているため、作業者は機体１１の後方に設けた走行用ハンドル１１ｂを把持して走行する機体を支持しながら整列用操作ハンドル２０を操作することができ、機体１１を走行させながらでも容易に整列装置１７を動かして、マルチフィルムＦを巻取ドラム１４に偏りなく巻き取って回収することができる。
また、巻取回収機１０の左右から回収するマルチフィルムＦの長さが異なる場合には、回収するマルチフィルムＦを整列装置１７によって巻取ドラム１４の軸線方向に振り分けることにより、マルチフィルムＦの弛みを解消でき、本実施形態のように複数のマルチフィルムＦを効率良く回収することができる。
さらに、巻取回収機１０を前方から両側にかけてカバー２８で覆っているため、マルチフィルムＦの回収時にナガイモ等の植物が巻取回収機の車輪等に絡まるのを防止することができ、作物を傷付けることなく、かつ、効率良くマルチフィルムＦを回収することができる。
なお、本実施形態の巻取回収機１０は、前輪１２と後輪１３を畝を跨がせて、この跨いだ畝から剥ぎ取ったマルチフィルムを回収してもよい。
また、本実施形態の巻取回収機１０は、ナガイモに限らず、その他の作物、果物、花等を栽培する畝に被覆したマルチフィルムを剥ぎ取るものとして用いることができる。
【００２７】
図５は、本発明の第２実施形態を示す。
本実施形態のマルチフィルムの巻取り回収機１０は、巻取ドラム１４の軸線方向を機体１１の進行方向と一致させている。また、整列装置１７は、Ｕ字状枠部１８’と該Ｕ字状枠部１８’から巻取ドラム１４の側部を下方に延在する支持棒１９とからなり、支持棒１９の端部に整列用操作ハンドル２０を連結し、この連結部を機体１１のフレームに回転自在に取り付けている。整列用操作ハンドル２０は後方の走行用ハンドル１１ｂと近接する位置まで延在している。
また、本実施形態では、整列装置１７と振動装置２２との間にもう１つの案内ローラ３２を設けている。該案内ローラ３２は、その軸線方向を進行方向と直交する方向としており、軸線方向長さを振動装置２２の前端ローラ２５よりも短尺とすると共に、軸線方向の両端にガイド枠３３を設けて、該案内ローラ１７を通るマルチフィルムＦを機体中央に寄せてマルチフィルムＦをＵ字状枠部１８’に確実に案内している。
【００２８】
前記整列用操作ハンドル２０を前後方向に回動させると、該整列用操作ハンドル２０と連結された整列装置１７のＵ字状枠部１８’が前後方向、即ち、巻取ドラム１４の軸線方向に移動し、マルチフィルムＦの巻取ドラム１４への巻取位置を規制してマルチフィルムＦの偏りをなくすことができる。
また、本実施形態では、巻取ドラム１４の軸線方向を進行方向と一致させて、巻取回収機１０の幅を小さくしているため、作物が立毛している畝間でも巻取回収機１０を容易に走行させることができ、かつ、巻取回収機１０により作物を傷付けるのを防止することができる。さらに、巻取ドラム１４に回収したマルチフィルムＦを後方側に抜き取ることができるため、作物が高い位置まで立毛している畝間でも巻取ドラム１４からマルチフィルムＦを取り外すことができる。
なお、Ｕ字状枠部に第１実施形態のようなローラを設けてもよい。また、第１実施形態と同様、機体１１を覆うカバーを設けてもよい。
また、他の構成及び作用効果は第１実施形態と同様のため、同一の符号を付して説明を省略する。
【図面の簡単な説明】
【００２９】
【図１】本発明の第１実施形態のマルチフィルムの巻取回収機を示す斜視図である。
【図２】巻取回収機の側面図である。
【図３】（Ａ）〜（Ｃ）は整列用操作ハンドルの操作方法を示す図面である。
【図４】（Ａ）〜（Ｃ）は整列装置によりマルチフィルムの巻取位置を規制している状態を示す図面である。
【図５】本発明の第２実施形態のマルチフィルムの巻取回収機を示す斜視図である。
【図６】従来例を示す図面である。
【符号の説明】
【００３０】
１０  マルチフィルムの巻取回収機
１１  機体
１１ｂ  走行用ハンドル
１２  前輪
１３  後輪
１４  巻取ドラム
１５  原動機
１７  整列装置
１８  四角枠部
１８’  Ｕ字状枠部
２０  整列用操作ハンドル
２８  カバー
Ｆ  マルチフィルム
【図１】
2008125414.tif 000003
【図２】
2008125414.tif 000004
【図３】
2008125414.tif 000005
【図４】
2008125414.tif 000006
【図５】
2008125414.tif 000007
【図６】
2008125414.tif 000008